(57)【要約】      （修正有）【課題】放射性廃棄物の長期保管も可とする放射能汚染物質収納遮蔽容器を提供する。【解決手段】御影石を用いて組立てられた石棺容器本体の中に汚染物質保管密閉内容器を設け、石棺容器本体内と汚染物質保管密閉内容器との間に放射線遮断物質充填室を設ける。さらに、汚染物質保管密閉内容器の上部面を密閉する外漏れ防止内枠を備えた密閉内容器用上蓋を設け、石棺容器本体内に汚染物質保管密閉内容器との間に介在した放射線遮断物質充填室に放射線減少剤を充填する。また、石棺容器本体の上部面を密閉する凸部を備えた石棺蓋石部に、上部麺石部の接触面に石材固定接着剤を塗布し楔着固定ボルトによって固定するように設け高濃度に汚染された汚泥などを遮蔽し保管できるように放射線遮断物質充填室と汚染物質保管密閉内容器の上部面を密閉する外漏れ防止内枠を備えた密閉内容器用上蓋を装着した放射能汚染物質収納遮蔽容器である。【選択図】図１
0003177179.tif 000002
【実用新案登録請求の範囲】
【請求項１】
石棺土台石部に、石棺右側面石部・石棺左側面石部・石棺背面石部・石棺正面石部を設け、各石部の接触面に石材固定接着剤を塗布し楔着固定ボルトによって固定した石棺容器本体を設け、石棺容器本体の中に汚染物質保管密閉内容器を設け、石棺容器本体内と汚染物質保管密閉内容器との間に放射線遮断物質充填室を設け、汚染物質保管密閉内容器の上部面を密閉する外漏れ防止内枠を備えた密閉内容器用上蓋を設け、石棺容器本体内に汚染物質保管密閉内容器との間に介在した放射線遮断物質充填室に放射線減少剤を充填し、石棺容器本体の上部面を密閉する凸部を備えた石棺蓋石部に上部石部の接触面に石材固定接着剤を塗布し楔着固定ボルトによって固定するように設け、石棺容器本体に定着した石棺蓋石部には移動および運搬用の楔着固定ボルトに備えてある螺子部とワッシャ付きナットに環装吊り輪に備えた螺子溝部を固着できるように装着した放射能汚染物質収納遮蔽容器。
【請求項２】
石棺容器本体に石棺土台石部を設け、その石棺土台石部に凹部を設けた石棺右側面石部・凹部を設けた石棺左側面石部・石棺背面石部・石棺正面石部を設け、各石部の接触面に石材固定接着剤を塗布し楔着固定ボルトによって固定するように設けた事を特徴とする請求項１記載の放射能汚染物質収納遮蔽容器。
【請求項３】
石棺容器本体内に汚染物質保管密閉内容器との間に介在した放射線遮断物質充填室に放射線減少する素材として、水単体もしくはホウ酸いり水を放射線遮断物質充填室に注入するように設け、放射線減少剤とする事を特徴とする請求項１記載の放射能汚染物質収納遮蔽容器。
【請求項４】
石棺容器本体内に汚染物質保管密閉内容器との間に介在した放射線遮断物質充填室に放射線減少する素材として、ケイ酸質からなる多孔性動植物微量要素無機質土からなる粒状もしくは紛状を挿設するように設け、放射線減少部剤とする事を特徴とする請求項１記載の放射能汚染物質収納遮蔽容器。
【請求項５】
石棺の主原料に放射線を通しにくい石の密度が濃質な御影石の天然石を加工するように設け、石棺土台石部にを基礎台として設け、石棺右側面石部・石棺左側面石部・石棺背面石部・石棺正面石部と石部の接触面に石材固定接着剤を塗布し楔着固定ボルトによって固定されるように設け、石棺容器本体の上部面を密閉する凸部を備えた石棺蓋石部からなるようにした請求項１記載の放射能汚染物質収納遮蔽容器。
【請求項６】
汚染物質保管密閉内容器に備えた上部位置決めＬ金具は汚染物質保管密閉内容器に汚染物を充填する位置を示す上部位置決めＬ金具であり、汚染物の充填最大上限を印すように設け、放射線を含有した汚泥の水分調整並びに放射性線減少する粒状もしくは紛状のケイ酸質からなる多孔性動植物微量要素無機質土を上部位置決めＬ金具と密閉内容器用上蓋に介装するようにケイ酸質からなる多孔性動植物微量要素無機質土を固設するようにした請求項１記載の放射能汚染物質収納遮蔽容器。
【考案の詳細な説明】
【技術分野】
【０００１】  この考案は、高濃度の放射性物質を含有した汚泥などの保管において、放射性濃度が高いものは、飛散しないよう遮蔽物の容器にいれて保管することが望ましいことから、高濃度の放射線を放射する汚泥から放射される、人体への影響を考慮した放射線を有効的に遮断し低濃度レベルまで低減することができる放射能汚染物質収納遮蔽容器に関するものである。
【背景技術】
【０００２】  従来、ドラム缶などの容器に入れ飛散しないよう遮蔽物のある場所で保管した。
又比較的濃度の低いものはセメントで作られた容器に保管したり、濃度の低い放射性汚泥を土嚢袋に充填したものを、セメントで作られた容器に保管していた。
【考案の開示】
【考案が解決しようとする課題】
【０００３】  その為に次のような問題点があった。
従来の容器は、放射能に対応した遮断容器ではなく、ドラム缶型容器などは一時的に防水や防サビ加工を施したものを使用し、コンクリートで箱型に成形された容器も提案されているが、コンクリートは劣化やドラム缶型容器は腐植する問題があり、長期保管にはむかない放射線容器収納された放射性廃棄物は長期保管を要求されるため、長期保管には向かない大きな欠点を抱えていて、耐久性の高い放射線遮蔽容器が求められている。
本考案は以上の問題点を解決する為になされたものである。
【課題を解決するための手段】
【０００４】  石棺土台石部に、石棺右側面石部・石棺左側面石部・石棺背面石部・石棺正面石部を設け、各石部の接触面に石材固定接着剤を塗布し楔着固定ボルトによって固定するように設けた石棺容器本体の中に汚染物質保管密閉内容器を設け、石棺容器本体内と汚染物質保管密閉内容器との間に放射線遮断物質充填室を設け、汚染物質保管密閉内容器の上部面を密閉する外漏れ防止内枠を備えた密閉内容器用上蓋を設け、石棺容器本体内に汚染物質保管密閉内容器との間に介在した放射線遮断物質充填室に放射線減少剤を充填し、石棺容器本体の上部面を密閉する凸部を備えた石棺蓋石部に、上部麺石部の接触面に石材固定接着剤を塗布し楔着固定ボルトによって固定するように設け高濃度に汚染された汚泥などを遮蔽し保管できるように放射線遮断物質充填室と汚染物質保管密閉内容器の上部面を密閉する外漏れ防止内枠を備えた密閉内容器用上蓋を装着した放射能汚染物質収納遮蔽容器。
【考案の効果】
【０００５】  高濃度の放射線汚泥を保管できる、放射線遮断効果が高い天然石の御影石を用いて、組み立てられた石棺容器本体と放射線遮断物質充填室と汚染物質保管密閉内容器の上部面を密閉する外漏れ防止内枠を備えた密閉内容器用上蓋からなる三重遮断構造で、高濃度の放射線汚泥から放出される放射線を遮断し、放射線容器収納された放射性廃棄物の長期保管も備えた放射能汚染物質収納遮蔽容器である。
【考案を実施するための最良の形態】
【０００６】      以下本考案の実施の形態について説明する。
（イ）石棺土台石部（２）に、石棺右側面石部（３）・石棺左側面石部（４）・石棺背面石部（７）・石棺正面石部（６）を設け、各石部の接触面に石材固定接着剤（２３）を塗布し楔着固定ボルト（９）によって固定した石棺容器本体（１）を設ける。
（ロ）石棺容器本体（１）の中に汚染物質保管密閉内容器（１１）を設け、石棺容器本体内（１）と汚染物質保管密閉内容器（１１）との間に放射線遮断物質充填室（１５）を設ける
（ハ）汚染物質保管密閉内容器（１１）の上部面を密閉する外漏れ防止内枠（１４）を備えた密閉内容器用上蓋（１３）を設ける。
本考案は、以上の構造でこれを使用するときは、石棺容器本体（１）内に汚染物質保管密閉内容器（１１）との間に介在した放射線遮断物質充填室（１５）に放射線減少剤（１６）もしくは放射線遮断効力がある水またはホウ酸入り水などを充填し、石棺容器本体（１）の上部面を密閉する凸部（１７）を備えた石棺蓋石部（５）に、上部石部の接触面に石材固定接着剤（２３）を塗布し、楔着固定ボルト（９）によって固定し石棺容器本体（１）に定着した石棺蓋石部（５）には運搬用の、楔着固定ボルト（９）に備えてある螺子部（１９）とワッシャ付きナット（２０）に環装吊り輪（１０）に備えた螺子溝部（１８）を固着できるように装着ができる為、移動や輸送も容易になり、放射能汚染物質収納遮蔽容器を安全に取扱が行う事ができる。
【図面の簡単な説明】
【００７】
【図１】  本考案の実施の形態に係る石棺容器本体を示す断面図から示す斜視図
【図２】  本考案の実施の形態に係る平面から示す斜視図
【図３】  本考案の実施状態を示す斜視図
【図４】  本考案の実施状態を示す斜視図
【図５】  本考案の実施状態を示す部分拡大斜視図
【図６】  本考案の実施状態を示す部分拡大斜視図
【符号の説明】
【００８】  １  石棺容器本体
２  石棺土台石部
３  石棺右側面石部
４  石棺左側面石部
５  石棺蓋石部
６  石棺正面石部
７  石棺背面石部
８  石棺固定孔
９  楔着固定ボルト
１０  環装吊り輪
１１  汚染物質保管密閉内容器
１２  上部位置決めＬ金具
１３  密閉内容器用上蓋
１４  外漏れ防止内枠
１５  放射線遮断物質充填室
１６  放射線減少剤
１７  凸部
１８  凹部
１９  螺子溝部
２０  螺子部
２１  ワッシャ付きナット
２２  石部
２３  石材固定接着剤
【図１】
0003177179.tif 000003
【図２】
0003177179.tif 000004
【図３】
0003177179.tif 000005
【図４】
0003177179.tif 000006
【図５】
0003177179.tif 000007
【図６】
0003177179.tif 000008